(57)【要約】      （修正有）【課題】鍵を開けられたとしても外部からゴムひもや道具を差し込んでドアチェーンやドアガードを外すことを不可能とするドアガードストッパーを提供する。【解決手段】ドア枠に取り付けられる補助錠１と、補助錠１に取り付けられたチェーン３と、チェーン３の先端に取り付けられたＳ字カン又はフック４であって、ドアチェーン又はドアガードに引っ掛けられるＳ字カン又はフック４から構成される。【選択図】図３
0003203254.tif 000002
【実用新案登録請求の範囲】
【請求項１】
本考案は、補助錠に適宜の長さのチェーンを取り付けその先端に移動可能なＳ字カン（フック付）あるいは適宜のフックを取り付けたものである。既存のドアチェーンやドアガードを通常通りセットし、本考案のドアガードストッパーをドア枠に取り付けて、そのセットしたドアチェーンやドアガードに本考案のドアガードストッパーの先端にある移動可能なＳ字カン（フック付）あるいは適宜のフックをひっかけてドアの隙間をなくし、外部からドアを開けられないようにするものである。
【請求項２】
本考案は、補助錠に適宜の長さのワイヤーロープを取り付けその先端に移動可能なＳ字カン（フック付）あるいは適宜のフックを取り付けたものである。既存のドアチェーンやドアガードを通常通りセットし、本考案のドアガードストッパーをドア枠に取り付けて、そのセットしたドアチェーンやドアガードに本考案のドアガードストッパーの先端にある移動可能なＳ字カン（フック付）あるいは適宜のフックをひっかけてドアの隙間をなくし、外部からドアを開けられないようにするものである。
【請求項３】
本考案は、補助錠に適宜の長さのロープを取り付けその先端に移動可能なＳ字カン（フック付）あるいは適宜のフックを取り付けたものである。既存のドアチェーンやドアガードを通常通りセットし、本考案のドアガードストッパーをドア枠に取り付けて、そのセットしたドアチェーンやドアガードに本考案のドアガードストッパーの先端にある移動可能なＳ字カン（フック付）あるいは適宜のフックをひっかけてドアの隙間をなくし、外部からドアを開けられないようにするものである。
【請求項４】
本考案は、補助錠に適宜の長さのチェーン、あるいは適宜の長さのワイヤーロープ、あるいは適宜の長さのロープを取り付け、その先端に移動可能なＳ字カン（フック付）あるいは適宜のフックを取り付けたものである。鍵のないところに丸カンプレート、あるいは丸カンスクリュー、あるいは丸カンボルトフック等を取り付けて、ドアガードストッパーの移動可能なＳ字カン（フック付）あるいは適宜のフックをひっかけて錠として利用する。
【考案の詳細な説明】
【技術分野】
【０００１】  本考案は、補助錠に適宜の長さのチェーン、あるいは適宜の長さのワイヤーロープ、あるいは適宜の長さのロープを取り付けた補助錠に関するものである
【背景技術】
【０００２】  従来、家のドアのドアチェーンやドアガードは、外部からの侵入を防ぐものとして用いられてきた。【０００３】  しかしながら、最近では鍵さえ開けることができれば、ドアチェーンやドアガードをゴムひもなどで簡単に外せるということがユーチューブなどの動画サイトで堂々と公開されていることから、それは周知の事実となってきており、もはやドアガードの役目を果たしていないという欠点があった。本来、家のドアはドアチェーンやドアガードは外部からの侵入を防ぐものであったが、そのドアチェーンやドアガードがいとも簡単に破られるということは本来の役目を果たしていない。補助錠を二つ三つつければ安心であるが、経費がかかることや賃貸の場合、ドアに改良を加えることはむつかしい。
【先行技術文献】
【特許文献】
【０００４】
【特許文献１】  特開２０００−２０４８１７  公報
【特許文献】
【０００５】
【特許文献２】  特開２０１３−２３４４８８  公報
【考案の概要】
【考案が解決しようとする課題】
【０００６】  既存のドアチェーンやドアガードは、それらを取り付けたままドアを数センチ開けて訪問者の姿を確認できる。そのためにドアチェーンやドアガードには数センチの余裕を持たせてあるのだが、鍵さえあけることができればそれらはゴムひもや道具などで簡単に外せることがわかった。本考案は、以上のような従来の欠点に鑑み、鍵を開けられたとしても外部からゴムひもや道具を差し込んで、ドアチェーンやドアガードを外すことを不可能とすることを目的としている。
【課題を解決するための手段】
【０００７】  補助錠に適宜の長さのチェーン、あるいは適宜の長さのワイヤーロープ、あるいは適宜の長さのロープを取り付けて構成する。既存のドアチェーンやドアガードを通常通りセットし、本考案のドアガードストッパーをドア枠に取り付けて、そのセットしたドアチェーンやドアガードに、本考案のドアガードストッパーと移動可能なＳ字カン（フック付）あるいは適宜のフックをひっかけてドアの隙間をなくすことで、外部からゴムひもや道具を差し込んでドアチェーンやドアガードを外すことを不可能とする。
【考案の効果】
【０００８】  上述のように、鍵を外されても、本考案のドアガードストッパーで既存のドアチェーンやドアガードを引っ張ってその余裕の数センチをなくすことでドアの隙間がなくなり、外部からゴムひもや道具を差し込むことが不可能となり、外部からの侵入ができなくなる。本考案によって、安価な費用で安全な防犯対策がとられるものとなる。
【図面の簡単な説明】
【０００９】
【図１】本考案のドアガードストッパーの正面図である。
【図２】本考案のドアガードストッパーの斜め側面図である。
【図３】本考案のドアガードストッパー一実施例を示す正面図である。
【図４】本考案のドアガードストッパー一実施例を示す正面図である。
【考案を実施するための形態】
【００１０】  本考案は補助錠１に２の穴を設け、その穴に３の適宜の長さのチェーン、あるいは適宜の長さのワイヤーロープ、あるいは適宜の長さのロープを取り付ける。セットした既存のドアチェーンやドアガードに、３の先端にある４の移動可能なＳ字カン（フック付）あるいは適宜のフックをひっかけて引っ張ることで、ドアとドアチェーンやドアガードとの数センチの隙間をなくすものとする。
【実施例】
【００１１】  以下、添付図面［図２］に従って説明する。１は鉄やアルミ等適宜素材にて一体化形成されたドアガードストッパー本体、２は３のチェーン、あるいはワイヤーロープ、あるいはロープを通すための穴、３は適宜の長さのチェーン、あるいは適宜の長さのワイヤーロープ、あるいは適宜の長さのロープ、４は既存のドアチェーンやドアガードにひっかけるための移動可能なＳ字カン（フック付）あるいは適宜のフック、５はドア枠に合わせるための調節ネジ。６は５の調節ネジで動かしてドア枠にドアガードストッパーを固定するための金具。６をドア枠にはめ、５の調節ネジを回しドア枠にしっかりと固定する。４を外して３の適宜の位置にはめたうえで既存のドアチェーンやドアガードの適宜な位置にひっかけて引っ張り、ドアの隙間ができないようにする。
【産業上の利用可能性】
【００１２】  本考案の実施例は上述の如き構成からなるものであるから、ドアガードストッパーの適宜の長さのチェーン、あるいは適宜の長さのワイヤーロープ、あるいは適宜の長さのロープ、４は既存のドアチェーンやドアガードにひっかけるための移動可能なＳ字カン（フック付）あるいは適宜のフックをドアチェーンやドアガードにひっかけて防犯を強化することにもちいることは勿論であるが、鍵のないドアや窓に丸カンプレート、あるいは丸カンスクリュー、あるいは丸カンボルトフック等を取り付けて、それらにドアガードストッパーのＳ字カン（フック付）あるいは適宜のフックをひっかけて錠として利用することも可能である。
【符号の説明】
【００１３】１  鉄やアルミ等適宜素材にて一体化形成されたドアガードストッパー本体。
２  適宜の長さの３のチェーン、あるいは適宜の長さのワイヤーロープ、あるいは適宜の長さのロープを通すための穴。
３  適宜の長さのチェーン、あるいは適宜の長さのワイヤーロープ、あるいは適宜の長さのロープ。
４  既存のドアチェーンやドアガードにひっかけるための移動可能なＳ字カン（フック付）あるいは適宜のフック。
５  ドア枠のサイズに合わせるための調節ネジ。
６  ５の調節ネジで動かしてドア枠にドアガードストッパーを固定するための金具。
【図１】
0003203254.tif 000003
【図２】
0003203254.tif 000004
【図３】
0003203254.tif 000005
【図４】
0003203254.tif 000006
【手続補正書】
【提出日】平成27年11月22日(2015.11.22)
【手続補正１】
【補正対象書類名】実用新案登録請求の範囲
【補正対象項目名】全文
【補正方法】変更
【補正の内容】
【実用新案登録請求の範囲】
【請求項１】
ドア枠に取り付けられる補助錠と、補助錠に取り付けられたチェーンと、チェーンの先端に取り付けられたＳ字カン又はフックであって、ドアチェーン又はドアガードに引っ掛けられるＳ字カン又はフックとから構成されることを特徴とするアガードストッパー。